(57)【特許請求の範囲】
【請求項１】
破袋されてごみが取り出されたごみ袋を支持する支持体と、
該支持体上の長手方向に亘って所定間隔を隔てて複数個配設された第１固定刃と、
前記支持体の長手方向に沿って移動可能で、前記第１固定刃との協動により支持体に支持されたごみ袋を引き裂く移動体と、
切り裂かれたごみ袋を支持体から除去する袋除去手段とを備えたことを特徴とする袋ごみの袋選別装置。
【請求項２】
前記支持体は、略水平もしくは傾斜した状態で平行に所定間隔を隔てて配置された少なくとも２本の支持杆からなり、該支持杆上に前記第１固定刃が配設され、前記移動体が左右の支持杆の間を該支持杆に沿って往復移動自在に構成された請求項１記載の袋ごみの袋選別装置。
【請求項３】
前記支持体の袋搬出端部には、前記移動体と対峙するように上方に立ち上げられた袋しごき用の固定板が設けられた請求項２記載の袋ごみの袋選別装置。
【請求項４】
前記袋しごき用の固定板には、前記移動体と対峙する第２固定刃が配置された請求項３記載の袋ごみの袋選別装置。
【請求項５】
前記袋除去手段は、前記支持体の袋搬出端に近接配置された挾持ローラで構成された請求項１、２、３又は４記載の袋ごみの袋選別装置。
【請求項６】
前記支持杆の袋搬出端側には、支持杆でのごみ袋の詰まりによって移動体に移動不良が生じた際に、このごみ袋詰まりを解除する袋詰まり解除手段を備え、この袋詰まり解除手段は、上記支持杆の間に侵入自在に構成された回転アームからなる請求項２、３、４又は５記載の袋ごみの袋選別装置。
【発明の詳細な説明】
【０００１】
【発明の属する技術分野】
本発明は、破袋されたごみ袋内に残留するごみを除去するための袋ごみの袋選別装置に関するものである。
【０００２】
【従来の技術】
従来、ごみを収容した袋ごみのごみ袋を破袋し、ごみ袋の中のごみを取り出すとともに、ごみを取り出したごみ袋だけを挾持したり、引っ掛けたり、または吸引して取り出すものが多数提供されている（例えば、特開昭６１−２６６３８０号公報、実公昭６１−１６２４３号公報、実開昭６２−１５９３０９号公報など）。
【０００３】
【発明が解決しようとする課題】
しかしながら、上記従来のものでは、破袋したごみ袋の片隅などに小さなごみが残留することもあり、このようにごみ袋の片隅などにごみが残留した状態でごみ袋が回収される場合がある。上記ごみ袋は、通常可燃ごみとして焼却処理されるが、該ごみ袋内に不燃ごみが残留した状態で処理された場合、焼却装置を傷めることになる。そこで、破袋したごみ袋内の残留物を完全に除去する装置が必要不可欠であった。
【０００４】
【課題を解決するための手段】
本発明の請求項１記載の袋ごみの袋選別装置は、破袋されてごみが取り出されたごみ袋を支持する支持体と、該支持体上の長手方向に亘って所定間隔を隔てて複数個配設された第１固定刃と、前記支持体の長手方向に沿って移動可能で、前記第１固定刃との協動により支持体に支持されたごみ袋を引き裂く移動体と、切り裂かれたごみ袋を支持体から除去する袋除去手段とを備えたものである。
【０００５】
本発明の請求項２記載の袋ごみの袋選別装置は、前記支持体は、略水平もしくは傾斜した状態で平行に所定間隔を隔てて配置された少なくとも２本の支持杆からなり、該支持杆上に前記第１固定刃が配設され、前記移動体が左右の支持杆の間を該支持杆に沿って往復移動自在に構成されたものである
本発明の請求項３記載の袋ごみの袋選別装置は、前記支持体の袋搬出端部には、前記移動体と対峙するように上方に立ち上げられた傾斜面を有する袋しごき用の固定板が設けられたものである。
【０００６】
本発明の請求項４記載の袋ごみの袋選別装置は、前記袋しごき用の固定板には、前記移動体と対峙する第２固定刃が配置されたものである。
【０００７】
本発明の請求項５記載の袋ごみの袋選別装置は、前記袋除去手段は、前記支持体の袋搬出端に近接配置された挾持ローラで構成されたものである。
【０００８】
本発明の請求項６記載の袋ごみの袋選別装置は、前記支持杆の袋搬出端側には、支持杆でのごみ袋の詰まりによって移動体に移動不良が生じた際に、このごみ袋詰まりを解除する袋詰まり解除手段を備え、この袋詰まり解除手段は、上記支持杆の間に侵入自在に構成された回転アームからなるものである。
【００１０】
【発明の実施の形態】
以下、本発明の実施の形態を図面を参照して説明する。
【００１１】
図１は、本発明に係る袋ごみの袋選別装置の全体の概略構成を示している。
【００１２】
図１において、１は破袋装置で、破袋装置１は、ごみが収容された袋ごみを破袋して、ごみ袋の中のごみを取り出し、取り出したごみを図示しないごみ選別装置に搬送して可燃ごみや不燃ごみに選別するとともに、ごみを取り出したごみ袋を袋搬送用コンベア２に搬出する。
【００１３】
前記袋搬送用コンベア２の搬出端の下方には、袋ごみの袋選別装置３が配置されている。
【００１４】
袋ごみの袋選別装置３は、前記袋搬送用コンベア２の搬出端の下方に配置され、袋搬送用コンベア２から搬出されたごみ袋を支持する支持体４と、該支持体４に取り付けた第１固定刃５１及び第２固定刃５２と、前記支持体４に沿って移動可能で、前記第１固定刃５１及び第２固定刃５２との協動により支持体４に支持されたごみ袋を引き裂く移動体６と、切り裂かれたごみ袋を支持体４から除去する袋除去手段７とを備えている。
【００１５】
前記支持体４は、図２に示すように、平行に所定間隔を隔てて配置された２本の支持杆４１から構成されており、これら一対の支持杆４１にごみ袋が支持される。
【００１６】
また、支持体４は、図１に示すように、ごみ袋を除去する一端（搬出端）側が下方に傾斜した傾斜状態で配置されている。
【００１７】
前記支持杆４１上には前記第１固定刃５１が所定間隔で複数個配設されるとともに、支持杆４１の一端部には袋しごき用の固定板４１ａが上方へ立ち上げて一体に形成され、前記移動体６と対峙する傾斜面４１ｂに複数個の前記第２固定刃５２が配置されている。この第２固定刃５２は、後述する移動体６と対峙するように配置されている。
【００１８】
前記移動体６は、図２に示すように、前記一対の支持杆４１の間に配置された押込板６１と、この押込板６１を前記支持杆４１の間において該支持杆４１に沿って往復移動させる伸縮シリンダ６２とから構成されている。
【００１９】
この押込板６１は、図１及び２において実線で示すように、先端が支持杆４１の他端側に配置された位置と、二点鎖線で示すように、先端が支持杆４１の一端側から僅かに突出して後述する袋除去手段７に近接する位置との間で往復移動し、通常実線で示す位置に配置されている。
【００２０】
前記袋除去手段７は、前記支持杆４１の一端に近接配置された左右一対の挾持ローラ７１で構成されており、前記押込板６１で支持杆４１の一端部へ強制的に押し込んだごみ袋を挾持ローラ７１間で挾持し、モータ７２による挾持ローラ７１の回転により支持杆４１の一端から除去する。
【００２１】
前記挾持ローラ７１の袋搬出側には、支持杆４１から除去したごみ袋を回収する袋回収用コンベア７２が配設されている。
【００２２】
前記支持杆４１の一端部の下方には、シュート８１が配設されている。シュート８１は、ごみ袋から取り出した残留物を前述したごみ選別装置に搬送する残留物搬送コンベア８に導くためのものである。
【００２３】
さらに、前記支持杆４１の一端側の上方には、袋詰まり解除手段９が設けられている。
【００２４】
袋詰まり解除手段９は、図３に示すように、左右の支持杆４１の間に侵入自在に支持された回転アーム９１と、左右の支持杆４１の側方に沿って移動自在に支持された回転アーム９２との３本を備え、これら回転アーム９１、９２が駆動装置９３によって回動自在に構成されている。
【００２５】
前記駆動装置９３は、各回転アーム９１、９２の基端を一体的に支持する支持ロッド９４に一方向クラッチ９５を介して設けられたピニオン９６と、シリンダ９７の伸縮部９７ａに設けられ、前記ピニオン９６に噛合されたラック９８とで構成されている。
【００２６】
前記一方向クラッチ９５は、シリンダ９７の伸縮部９７ａを伸長させてラック９８を矢符Ｐ方向に移動させた際には、このラック９８の移動に伴うピニオン９６の回転を支持ロッド９４に伝達することなく、シリンダ９７の伸縮部９７ａを縮退させてラック９８を矢符Ｑ方向に移動させた際に、ピニオン９６の回転を支持ロッド９４に伝達させて各回転アーム９１、９２を図１において反時計回りの方向に回転させるように構成されている。
【００２７】
なお、回転アーム９１、９２は、シリンダ９７の伸縮部９７ａを最大に伸長させた時のラック９８の状態から、シリンダ９７の伸縮部９７ａを縮退させた図１及び図３に示す状態までのラック９８の移動により図１及び図３に示す位置から反時計方向に回動して元の位置に一回転するように構成されている。
【００２８】
次に、このように構成された袋ごみの袋選別装置の動作について説明する。
【００２９】
ごみ袋にごみを収容した所謂袋ごみは、この状態のままで破袋装置１に投入され、該破袋装置１によって破袋され、ごみ袋内のごみが取り出される。
【００３０】
この取り出されたごみはごみ選別装置に搬送され、ごみ選別装置によって不燃ごみや可燃ごみ、また、必要に応じては不燃ごみの中から、アルミ缶や鉄缶などに細選別される。
【００３１】
そして、ごみが取り出されたごみ袋は、袋搬送用コンベア２に搬出され、該袋搬送用コンベア２によって袋ごみの袋選別装置の支持杆４１に投下される。
【００３２】
このようにして支持杆４１に投下されたごみ袋は、図４に示すように左右の支持杆４１に亘って支持される。
【００３３】
この状態で、伸縮シリンダ６２を伸長させて押込板６１を支持杆４１の一端側に移動させることで、まず、押込板６１の先端部がごみ袋を強制的に支持杆４１の一端側に移動させ、この移動により第１固定刃５１でごみ袋を引き裂く。続いて、押込板６１の先端部が支持杆４１の一端部に達すると、引き裂かれながら移動したごみ袋が押込板６１により袋しごき用の固定板４１ａの間に押し込まれてしごかれ、これに伴って第２固定刃５２によってさらにごみ袋が引き裂かれながら支持杆４１の一端外方に移送される（図５参照）。
【００３４】
そして、支持杆４１の一端外方に搬送されたごみ袋は、挾持ローラ７１間に挾持され、図６に示すように、該挾持ローラ７１の回転によりさらにごみ袋内に残留するごみを絞り出すようにして挾持ローラ７１間を通過し、下方の袋回収用コンベア７２に搬出される。袋回収用コンベア７２に搬出されたごみ袋は、焼却処理のための焼却炉等に搬送される。
【００３５】
このように第１固定刃５１でごみ袋を切り裂くとともに、支持杆４１の一端部において袋しごき用の固定板４１ａの間に押し込み、しごきながら第２固定刃５２でさらに切り裂き、最後にごみ袋を挾持ローラ７１間に引っ張り込むため、ごみ袋内に小さな残留物が残留していてもこの残留物を確実に除去した状態で、ごみ袋のみを取り出すことができ、選別精度の向上を図ることができ、ごみ袋内への不燃物の残留に起因する焼却炉などの損傷等を防止することができる。
【００３６】
なお、上述のようにしてごみ袋から取り出された残留物は、シュート８１を経て残留物搬送コンベア８に搬入され、該残留物搬送コンベア８によってごみ選別装置に搬送される。
【００３７】
上述した残留物をごみ袋から除去してごみ袋のみの取り出しを行っている際において、押込板６１の押込動作によってごみ袋が例えば第２固定刃５２に引掛かって詰まる場合がある。
【００３８】
このようにごみ袋が詰まった場合には、袋詰まり解除手段９によって詰まったごみ袋を解除する。詳しくは、ごみ袋が詰まったと判断すると、シリンダ９７によってラック９８を往復移動させることで、回転アーム９１、９２が一回転し、この回転により回転アーム９１、９２の先端部を支持杆４１の間に侵入させるとともに支持杆の側方を移動させる。これにより、支持杆４１の一端部において詰まったごみ袋を支持杆４１の他端側に移動させ、ごみ袋の詰まりを解除する。
【００３９】
なお、ごみ袋が支持杆４１の一端部の間で詰まったか否かは、押込板６１を移動させる伸縮シリンダ６２の作動状況をタイマで計測し、所定時間を経過しても作動終了信号が得られない場合に、ごみ袋が詰まったものと判断する。
【００４０】
【発明の効果】
以上述べたように、本発明の請求項１記載の袋ごみの袋選別装置によれば、支持体に支持されたごみ袋を、該支持体に取り付けた第１固定刃と移動体との協動により引き裂いて、ごみ袋内に残留する残留物を取り出した後、袋除去手段によってごみ袋のみを支持体から除去することで、選別精度の向上を図ることができ、ごみ袋内での不燃物の残留に起因する焼却炉などの損傷等を防止することができる。
【００４１】
本発明の請求項２記載の袋ごみの袋選別装置によれば、支持体を構成する２本の支持杆に亘ってごみ袋が支持され、該支持杆の間を往復移動する移動体によりごみ袋を強制的に移動させながら第１固定刃でごみ袋を切り裂くことで、ごみ袋内の残留物の除去をさらに確実に行うことができる。
【００４２】
本発明の請求項３記載の袋ごみの袋選別装置によれば、支持体の袋搬出端部ににおいて、移動体と対峙する袋しごき用の固定板の間へ移動体によってごみ袋を押し込んでしごきながらさらにごみ袋を切り裂くことで、ごみ袋内の残留物の除去をさらに確実に行うことができる。
【００４３】
本発明の請求項４記載の袋ごみの袋選別装置によれば、袋しごき用の固定板に第２固定刃を配置したことで、該第２固定刃と移動体との協動作用によりごみ袋をさらに切り裂くことができ、ごみ袋内の残留物の除去をさらに確実に行うことができる。
【００４４】
本発明の請求項５記載の袋ごみの袋選別装置によれば、袋除去手段を支持体の袋搬出端に近接配置された挾持ローラで構成し、この挾持ローラによって引き裂かれたごみ袋を支持体側から引っ張り込んで除去することで、残留物がないごみ袋のみの取り出しを確実に行うことができる。
【００４５】
本発明の請求項６の袋ごみの袋選別装置によれば、前記支持杆の袋搬出端側には、支持杆でのごみ袋詰まりによって移動体に移動不良が生じた際に、回転アームを回転させ、該回転アームを支持杆の間に侵入させてごみ袋を取り除くことで、作動を停止させることなく選別作業の中で支持杆に詰まったごみ袋を確実に解除することができ、作業を効率良く行うことができる。
【図面の簡単な説明】
【図１】本発明に係る袋ごみの袋選別装置の全体の概略構成を示す側面図である。
【図２】支持体及び挾持ローラを示す一部破断した平面図である。
【図３】袋除去手段及び袋詰まり解除手段の具体的構成を示す斜視図である。
【図４】装置の動作を説明する図である。
【図５】装置の動作を説明する図である。
【図６】装置の動作を説明する図である。
【符号の説明】
４  支持体
４１  支持杆
４１ａ  袋しごき用の固定板
５１  第１固定刃
５２  第２固定刃
６  移動体
６１  押込板
７  袋除去手段
７１  挾持ローラ
９  袋詰まり解除手段
９１、９２  回転アーム
【図１】
0003639667.tif 000002
【図２】
0003639667.tif 000003
【図３】
0003639667.tif 000004
【図４】
0003639667.tif 000005
【図５】
0003639667.tif 000006
【図６】
0003639667.tif 000007